(57)【要約】【課題】内燃機関の制御装置において、着火性及びノッキング特性の向上を図る。【解決手段】燃焼室１５に対してホロコーン形状の第１燃料噴霧を噴射可能であると共に、直線形状の第２燃料噴霧を噴射可能なインジェクタ２０を設け、このインジェクタ２０により吸気行程後期に燃焼室１５に対してホロコーン形状の第１燃料噴霧を噴射すると共に、圧縮行程後期に点火プラグ２１の近傍に向けて直線形状の第２燃料噴霧を噴射することで、均質混合気を形成する。【選択図】        図１
2007162631.tif 000002
【特許請求の範囲】
【請求項１】
燃焼室と、該燃焼室に連通する吸気ポート及び排気ポートと、前記吸気ポートを開放する吸気弁と、前記排気ポートを開放する排気弁と、前記燃焼室に対してホロコーン形状の第１燃料噴霧を噴射可能であると共に直線形状の第２燃料噴霧を噴射可能な燃料噴射手段と、前記燃焼室内の混合気に着火可能な着火手段と、前記燃料噴射手段により内燃機関の吸気行程から圧縮行程の間に前記燃焼室に前記第１燃料噴霧を噴射すると共に前記内燃機関の圧縮行程に前記着火手段の近傍に向けて前記第２燃料噴霧を噴射する燃料噴射制御手段とを具えたことを特徴とする内燃機関の制御装置。
【請求項２】
請求項１に記載の内燃機関の制御装置において、前記第１燃料噴霧は、小粒径で低流速であるホロコーン形状の燃料噴霧であり、前記第２燃料噴霧は、高粒径で高流速である直線形状の燃料噴霧であることを特徴とする内燃機関の制御装置。
【請求項３】
請求項１または２に記載の内燃機関の制御装置において、前記燃料噴射制御手段は、前記燃料噴射手段により前記内燃機関の吸気行程に前記燃焼室に前記第１燃料噴霧を噴射すると共に、前記内燃機関の圧縮行程後期に前記着火手段の近傍に向けて前記第２燃料噴霧を噴射することを特徴とする内燃機関の制御装置。
【請求項４】
請求項１または２に記載の内燃機関の制御装置において、前記燃料噴射制御手段は、前記燃料噴射手段により前記内燃機関の圧縮行程前期に前記燃焼室に前記第１燃料噴霧を噴射すると共に、前記内燃機関の圧縮行程後期に前記着火手段の近傍に向けて前記第２燃料噴霧を噴射することを特徴とする内燃機関の制御装置。
【請求項５】
請求項１から４のいずれか一つに記載の内燃機関の制御装置において、前記第２燃料噴霧を形成する第２燃料噴射量は、前記内燃機関の要求噴射量の増加に応じて減少させることを特徴とする内燃機関の制御装置。
【請求項６】
請求項１から５のいずれか一つに記載の内燃機関の制御装置において、前記燃料噴射手段は、前記燃焼室の頂部または前記燃焼室における吸気ポート近傍または前記燃焼室における排気ポート近傍に設けられたことを特徴とする内燃機関の制御装置。
【請求項７】
請求項１に記載の内燃機関の制御装置において、ピストンの頂面にタンブル流を形成するためのガイド部が形成されたことを特徴とする内燃機関の制御装置。
【請求項８】
燃焼室と、該燃焼室に連通する吸気ポート及び排気ポートと、前記吸気ポートを開放する吸気弁と、前記排気ポートを開放する排気弁と、頂面にタンブル流を形成するためのガイド部が形成されたピストンと、前記燃焼室に対してホロコーン形状の第１燃料噴霧を噴射可能であると共に直線形状の第２燃料噴霧を噴射可能な燃料噴射手段と、前記燃焼室内の混合気に着火可能な着火手段と、前記燃料噴射手段により内燃機関の吸気行程に前記燃焼室に前記第１燃料噴霧を噴射すると共に該第１燃料噴霧の噴射直後に前記ガイド部により生成されたタンブル流に沿って前記第２燃料噴霧を噴射する燃料噴射制御手段とを具えたことを特徴とする内燃機関の制御装置。
【請求項９】
請求項８に記載の内燃機関の制御装置において、前記燃料噴射手段は、前記燃焼室における排気ポート近傍に設けられたことを特徴とする内燃機関の制御装置。
【発明の詳細な説明】
【技術分野】
【０００１】
本発明は、燃料を直接燃焼室に噴射する筒内噴射式の火花点火内燃機関において、燃料噴射を制御する内燃機関の制御装置に関するものである。
【背景技術】
【０００２】
一般的な内燃機関では、燃料を吸気ポートに噴射して空気と混合し、ピストンの吸気行程における吸気弁の開放時に吸気ポートの混合気を燃焼室に吸入し、圧縮行程時にこの混合気が圧縮されてから火花着火されて爆発し、排気行程における排気弁の開放時に、排気ガスを排気ポートから外部に排出するようにしている。ところが、このポート噴射式の内燃機関では、燃料を吸気ポートに噴射して空気と混合してからこの混合気を燃焼室に導入するため、均質燃焼を実現することができるものの、リーンな空燃比で成層燃焼を実現することができず、燃費の向上を図ることが困難である。
【０００３】
一方、燃料を吸気ポートではなく、燃焼室に直接噴射する筒内噴射式の火花点火内燃機関が知られており、この筒内噴射式の内燃機関では、圧縮行程中に燃焼室に燃料を噴射してリーンな空燃比で成層燃焼を実行可能であると共に、吸気行程中に燃焼室に燃料を噴射して均一な混合気を形成する均質燃焼が実現可能となっている。即ち、内燃機関の低負荷運転領域では、ピストンの吸気行程における吸気弁の開放時に、吸気ポートの空気を燃焼室に吸入し、この吸入空気を圧縮行程時に圧縮し、この高圧空気に対して燃料を噴射して混合し、この混合気が点火プラグに導かれて着火され、この混合気が燃焼する。一方、内燃機関の中・高負荷運転領域では、ピストンの吸気行程における吸気弁の開放時に、吸気ポートの空気を燃焼室に吸入すると共にこの吸入空気に対して１回目の燃料噴射を行ってこの噴射燃料により燃焼室全体に分散した混合気を形成し、圧縮行程時に２回目の燃料噴射を行ってこの噴射燃料により燃焼室の限定された領域内に混合気を形成し、この限定された領域内の混合気が点火プラグにより着火され、この着火混合気が火種となって燃焼室全体に分散した混合気が燃焼する。つまり、内燃機関の低負荷時には、圧縮行程時に燃料を噴射して成層燃焼を行い、中・高負荷時には、吸気行程及び圧縮行程時に燃料を分割して噴射して均質燃焼を行うようにしている。
【０００４】
このような筒内噴射式の内燃機関としては、下記特許文献１、２に記載されたものがある。特許文献１に記載された火花点火式直噴内燃機関は、低回転・高負荷となる内燃機関の運転領域にて、燃焼室全体としての混合気がストイキ又はリッチとなるように燃料噴射量を設定し、設定した燃料噴射量を吸気行程中と圧縮行程中とに分割して噴射する際、大部分の燃料を吸気行程中に噴射することで、低回転・高負荷領域でのノッキングの発生を抑制してトルクを向上させるものである。
【０００５】
また、特許文献２に記載された直噴式火花点火機関は、燃料噴射弁の噴口の向きを、吸気行程に噴射される燃料が吸気弁の傘部に向かうように設定すると共に、圧縮行程に噴射される燃料が点火栓及び排気弁のバルブフェイス部に向かうように設定することで、冷間時の燃焼性を改善するものである。
【０００６】
【特許文献１】特開２００３−０９０２４９号公報
【特許文献２】特開平０６−１０１４８０号公報
【発明の開示】
【発明が解決しようとする課題】
【０００７】
上述した特許文献１に記載された火花点火式直噴内燃機関では、低回転・高負荷となる運転領域で吸気行程中と圧縮行程中とに分割して燃料噴射を行うとき、大部分の燃料を吸気行程中に噴射し、低回転・高負荷領域でのノッキングの発生を抑制している。ところが、この技術では、吸気行程と圧縮行程で燃料噴射弁からそれぞれ噴射される燃料噴霧が同じ形状・性質であるため、吸気行程では燃料噴霧が燃焼室に効率良く分散しにくく、圧縮行程では燃料噴霧による燃焼室での気流の乱れを十分に行うことができず、初期の燃焼速度が低下して十分な着火性を確保することができない。
【０００８】
また、特許文献２に記載された直噴式火花点火機関では、吸気行程に噴射される燃料を吸気弁の傘部に向かうように設定すると共に、圧縮行程に噴射される燃料を点火栓及び排気弁のバルブフェイス部に向かうように設定し、冷間時の燃焼性を改善している。この場合、機関の冷間時に、吸気行程の燃料噴霧を吸気弁の傘部に衝突することで微粒化を促進するとしているが、低温状態にある吸気弁に燃料噴霧を衝突させると、この吸気弁に液化した燃料が付着してしまい、燃料の気化が不十分となって不完全燃焼し、排気ガス特性が悪化してしまう。
【０００９】
本発明は、このような問題を解決するためのものであって、着火性及びノッキング特性の向上を図った内燃機関の制御装置を提供することを目的とする。
【課題を解決するための手段】
【００１０】
上述した課題を解決し、目的を達成するために、本発明の内燃機関の制御装置は、燃焼室と、該燃焼室に連通する吸気ポート及び排気ポートと、前記吸気ポートを開放する吸気弁と、前記排気ポートを開放する排気弁と、前記燃焼室に対してホロコーン形状の第１燃料噴霧を噴射可能であると共に直線形状の第２燃料噴霧を噴射可能な燃料噴射手段と、前記燃焼室内の混合気に着火可能な着火手段と、前記燃料噴射手段により内燃機関の吸気行程から圧縮行程の間に前記燃焼室に前記第１燃料噴霧を噴射すると共に前記内燃機関の圧縮行程に前記着火手段の近傍に向けて前記第２燃料噴霧を噴射する燃料噴射制御手段とを具えたことを特徴とするものである。
【００１１】
本発明の内燃機関の制御装置では、前記第１燃料噴霧は、小粒径で低流速であるホロコーン形状の燃料噴霧であり、前記第２燃料噴霧は、高粒径で高流速である直線形状の燃料噴霧であることを特徴としている。
【００１２】
本発明の内燃機関の制御装置では、前記燃料噴射制御手段は、前記燃料噴射手段により前記内燃機関の吸気行程に前記燃焼室に前記第１燃料噴霧を噴射すると共に、前記内燃機関の圧縮行程後期に前記着火手段の近傍に向けて前記第２燃料噴霧を噴射することを特徴としている。
【００１３】
本発明の内燃機関の制御装置では、前記燃料噴射制御手段は、前記燃料噴射手段により前記内燃機関の圧縮行程前期に前記燃焼室に前記第１燃料噴霧を噴射すると共に、前記内燃機関の圧縮行程後期に前記着火手段の近傍に向けて前記第２燃料噴霧を噴射することを特徴としている。
【００１４】
本発明の内燃機関の制御装置では、前記第２燃料噴霧を形成する第２燃料噴射量は、前記内燃機関の要求噴射量の増加に応じて減少させることを特徴としている。
【００１５】
本発明の内燃機関の制御装置では、前記燃料噴射手段は、前記燃焼室の頂部または前記燃焼室における吸気ポート近傍または前記燃焼室における排気ポート近傍に設けられたことを特徴としている。
【００１６】
本発明の内燃機関の制御装置では、ピストンの頂面にタンブル流を形成するためのガイド部が形成されたことを特徴としている。
【００１７】
また、本発明の内燃機関の制御装置は、該燃焼室に連通する吸気ポート及び排気ポートと、前記吸気ポートを開放する吸気弁と、前記排気ポートを開放する排気弁と、頂面にタンブル流を形成するためのガイド部が形成されたピストンと、前記燃焼室に対してホロコーン形状の第１燃料噴霧を噴射可能であると共に直線形状の第２燃料噴霧を噴射可能な燃料噴射手段と、前記燃焼室内の混合気に着火可能な着火手段と、前記燃料噴射手段により内燃機関の吸気行程に前記燃焼室に前記第１燃料噴霧を噴射すると共に該第１燃料噴霧の噴射直後に前記ガイド部により生成されたタンブル流に沿って前記第２燃料噴霧を噴射する燃料噴射制御手段とを具えたことを特徴とするものである。
【００１８】
本発明の内燃機関の制御装置では、前記燃料噴射手段は、前記燃焼室における排気ポート近傍に設けられたことを特徴としている。
【発明の効果】
【００１９】
本発明の内燃機関の制御装置によれば、燃焼室に対してホロコーン形状の第１燃料噴霧を噴射可能であると共に直線形状の第２燃料噴霧を噴射可能な燃料噴射手段を設け、燃料噴射制御手段は、燃料噴射手段により内燃機関の吸気行程から圧縮行程の間に燃焼室に第１燃料噴霧を噴射すると共に、内燃機関の圧縮行程に着火手段の近傍に向けて第２燃料噴霧を噴射するようにしたので、吸気行程から圧縮行程の間に燃焼室に第１燃料噴霧を噴射することで、この第１燃料噴霧が燃焼室全体に分散して均質混合気が形成され、圧縮行程に着火手段の近傍に向けて第２燃料噴霧を噴射することで、燃焼室での混合気の流動が増加し、圧縮行程でのタンブル流の乱れが促進され、初期の燃焼速度が向上し、着火性を向上することができると共に、ノッキングの特性を改善することができる。
【００２０】
また、本発明の内燃機関の制御装置によれば、ピストンの頂面にタンブル流を形成するためのガイド部を形成すると共に、燃焼室に対してホロコーン形状の第１燃料噴霧を噴射可能であると共に直線形状の第２燃料噴霧を噴射可能な燃料噴射手段を設け、燃料噴射制御手段は、燃料噴射手段により内燃機関の吸気行程に燃焼室に第１燃料噴霧を噴射すると共に、この第１燃料噴霧の噴射直後にガイド部により生成されたタンブル流に沿って第２燃料噴霧を噴射するようにしたので、吸気行程に燃焼室に第１燃料噴霧を噴射することで、この第１燃料噴霧が吸気ポートからの吸気と混合し、この混合気がピストンの頂面のガイド部によりタンブル流となって燃焼室全体に分散して均質混合気が形成され、第１燃料噴霧の噴射直後にこのタンブル流に沿って第２燃料噴霧を噴射することで、このタンブル流が加速されて乱れが促進され、燃料噴霧が短時間で混合されることとなり、初期の燃焼速度が向上し、着火性を向上することができると共に、ノッキングの特性を改善することができる。
【発明を実施するための最良の形態】
【００２１】
以下に、本発明に係る内燃機関の制御装置の実施例を図面に基づいて詳細に説明する。なお、この実施例によりこの発明が限定されるものではない。
【実施例１】
【００２２】
図１は、本発明の実施例１に係る内燃機関の制御装置における燃焼室の概略図、図２は、実施例１の内燃機関の制御装置におけるインジェクタの噴射口を表す断面図、図３は、実施例１のインジェクタによる第１燃料噴霧形状を表す概略図、図４−１及び図４−２は、実施例１のインジェクタによる第２燃料噴霧形状を表す概略図、図５は、実施例１の内燃機関の制御装置における吸気行程噴射を表す概略図、図６−１及び図６−２は、実施例１の内燃機関の制御装置における圧縮行程噴射を表す概略図、図７は、実施例１の内燃機関の制御装置における燃料噴射時期を表す概略図、図８は、エンジン負荷に対する第１燃料噴射量と第２燃料噴射量の割合を表すグラフである。
【００２３】
実施例１の内燃機関の制御装置において、図１に示すように、シリンダヘッド１１の下部にシリンダブロック１２が組み付けられ、複数の図示しない締結ボルトにより締結されている。シリンダブロック１２には複数のシリンダボア１３が形成され、各シリンダボア１３にピストン１４が摺動自在に嵌合している。そして、シリンダブロック１２の下部に図示しないクランクシャフトが回転自在に支持されており、各ピストン１４はコネクティングロッドを介してこのクランクシャフトに連結されている。
【００２４】
燃焼室１５は、シリンダブロック１２に形成されたシリンダボア１３と、シリンダヘッド１１の下面と、ピストン１４の頂面により構成されており、天井部（シリンダヘッド１１の下面）の中央部が高くなるように傾斜したペントルーフ形状をなしている。そして、この燃焼室１５の上部、つまり、シリンダヘッド１１の下面に吸気ポート１６及び排気ポート１７が対向して形成されており、この吸気ポート１６及び排気ポート１７に対して吸気弁１８及び排気弁１９がそれぞれ位置している。そして、図示しない吸気カムシャフト及び排気カムシャフトの回転により吸気弁１８及び排気弁１９が所定のタイミングで上下移動することで、吸気ポート１６及び排気ポート１７を開閉し、吸気ポート１６と燃焼室１５、燃焼室１５と排気ポート１７とをそれぞれ連通することができる。
【００２５】
燃焼室１５の頂部、つまり、吸気ポート１６と排気ポート１７の中央部におけるシリンダヘッド１１の下面に、この燃焼室１５に直接燃料を噴射するインジェクタ（燃料噴射手段）２０が装着されており、このインジェクタ２０には高圧燃料ポンプが連結されて高圧燃料を噴射することができる。また、燃焼室１６の頂部より排気ポート１７側、つまり、２つの排気ポート１７の間におけるシリンダヘッド１１の下面に、点火プラグ（着火手段）２１が装着されている。そして、車両には、電子制御ユニット（ＥＣＵ）が搭載されており、このＥＣＵは、インジェクタ２０の燃料噴射タイミングや点火プラグ２１による点火時期などを制御可能となっており、検出した吸入空気量、スロットル開度（アクセル開度）、エンジン回転数などのエンジン運転状態に基づいて燃料噴射量、噴射時期、点火時期などを決定している。
【００２６】
上述した本実施例のインジェクタ２０は、燃焼室１５に対してホロコーン形状の第１燃料噴霧を噴射可能であると共に、直線形状の第２燃料噴霧を噴射可能となっている。即ち、このインジェクタ２０において、図２に示すように、円筒形状をなすホルダ２２内に、同じく円筒形状をなす第１ニードル弁２３が所定間隔をあけて軸方向に沿って移動自在に支持されることで、ホルダ２２と第１ニードル弁２３との間にリング形状をなす第１燃料通路２４が形成されている。また、第１ニードル弁２３内に円柱形状をなす第２ニードル弁２５が軸方向に沿って移動自在に支持されることで、第１ニードル弁２３と第２ニードル弁２５との間に２つの第２燃料通路２６が形成されている。
【００２７】
第１ニードル弁２３は、図示しないスプリングにより図２にて上方に付勢され、先端部に形成されたリング状突起２７がホルダ２２の先端部に当接する位置の位置決めされることで、第１燃料通路２４が閉止されている。一方、第２ニードル弁２５は、図示しないスプリングにより図２にて上方に付勢され、先端部に形成された２つの突起２８が第１ニードル弁２３の先端部に当接する位置の位置決めされることで、２つの第２燃料通路２６が閉止されている。また、第１ニードル弁２３は、図示しない電磁コイルに通電することで、スプリングに抗して図２にて下方に移動し、第１燃料通路２４を開放することができる。また、第２ニードル弁２５は、図示しない電磁コイルに通電することで、スプリングに抗して図２にて下方に移動し、第２燃料通路２６を開放することができる。
【００２８】
従って、図３に示すように、第１ニードル弁２３を下方に移動して第１燃料通路２４を開放すると、ホロコーン形状の第１燃料噴霧を噴射することができる。また、図４−１及び図４−２に示すように、第２ニードル弁２５を下方に移動して第２燃料通路２６を開放すると、直線形状の２本の第２燃料噴霧を噴射することができる。
【００２９】
そして、本実施例にて、ＥＣＵ（燃料噴射制御手段）は、インジェクタ２０を制御することで、内燃機関（以下、エンジン）の吸気行程に燃焼室１５に対して第１燃料噴霧を噴射すると共に、圧縮行程後期に点火プラグ２１の近傍に向けて第２燃料噴霧を噴射するようにしている。即ち、図７に示すように、インジェクタ２０は、吸気行程の後期に第１ニードル弁２３により第１燃料通路２４を所定期間開放することで、燃焼室１５に第１燃料噴霧を噴射する。そして、インジェクタ２０は、圧縮行程の後期に第２ニードル弁２５によりを第２燃料通路２６を所定期間開放することで、燃焼室１５の点火プラグ２１の近傍に向けて第２燃料噴霧を噴射する。この場合、燃料噴射量は、エンジン運転状態に基づいてエンジン負荷（要求噴射量−エンジン回転数、アクセル開度、スロットル開度など）が大きくなるほど増加するように設定されるが、図８に示すように、第２燃料噴霧を形成する第２燃料噴射量は、エンジン負荷が大きくなるほど減少するように設定される。
【００３０】
なお、インジェクタ２０による第１燃料噴霧の噴射時期は、吸気行程の後期に限らず、吸気行程前期から吸気下死点（吸気ＢＤＣ）付近までの間に設定すればよい。
【００３１】
このように構成された本実施例の内燃機関の制御装置において、吸気行程の後期に、インジェクタ２０から燃焼室１５に対して第１燃料噴霧が噴射されると、図５に示すように、この第１燃料噴霧は、燃焼室１５の中心軸線に沿って下方を向いたホロコーン形状となる。このホロコーン形状とは、内部に燃料噴霧が存在しない円錐形状であり、このホロコーン形状をなす第１燃料噴霧は、燃料噴霧粒径が小さく、流速（ペネトレーション）が低速であることから、燃焼室１５全体に分散して均質混合気が形成され、吸気行程から圧縮行程に至ると、この均質混合気が圧縮される。
【００３２】
そして、圧縮行程の後期に、インジェクタ２０から燃焼室１５に第２燃料噴霧が噴射されると、図６−１及び図６−２に示すように、この第２燃料噴霧は、燃焼室１５の点火プラグ２１の両側に向けた直線形状となる。この直線形状をなす第２燃料噴霧は、燃料噴霧粒径が第１燃料噴霧より大きく、流速（ペネトレーション）が高速であることから、燃焼室１５での混合気の流動が増加して乱れが促進され、第２燃料噴霧が短時間で混合されることとなる。従って、所定の点火時期に点火プラグ２１から火花エネルギが出力されると、点火プラグ２１から火炎が急速に伝播し、この火炎が火種となって燃焼室１５全体に分散した混合気が燃焼することで均質燃焼が実行される。
【００３３】
このように実施例１の内燃機関の制御装置にあっては、燃焼室１５に対してホロコーン形状の第１燃料噴霧を噴射可能であると共に、直線形状の第２燃料噴霧を噴射可能なインジェクタ２０を設け、このインジェクタ２０により吸気行程後期に燃焼室１５に対してホロコーン形状の第１燃料噴霧を噴射すると共に、圧縮行程後期に点火プラグ２１の近傍に向けて直線形状の第２燃料噴霧を噴射するようにしている。
【００３４】
従って、吸気行程後期に燃焼室１５に第１燃料噴霧を噴射することで、この第１燃料噴霧が燃焼室１５全体に分散して均質混合気が形成され、圧縮行程に点火プラグ２１の近傍に向けて第２燃料噴霧を噴射することで、燃焼室１５での混合気の流動が増加して乱れが促進され、燃料噴霧が短時間で混合されることとなり、燃焼室１５での初期の燃焼速度が向上し、着火性を向上することができると共に、ノッキング特性を改善することができる。
【００３５】
なお、この実施例１では、吸気行程後期に燃焼室１５に第１燃料噴霧を噴射すると共に、圧縮行程後期に点火プラグ２１の近傍に向けて第２燃料噴霧を噴射するように構成したが、この燃料噴射制御は、エンジンの運転状態が高回転高負荷領域にあるときに有効的であり、他の運転領域では、エンジンの低負荷時に、圧縮行程後期に第２燃料噴射を実行して成層燃焼を行い、中負荷時に、吸気行程後期に第１燃料噴射を実行して均質燃焼を行うようにしてもよい。
【実施例２】
【００３６】
図９は、本発明の実施例２に係る内燃機関の制御装置における燃料噴射時期を表す概略図である。なお、本実施例の内燃機関の制御装置における全体構成は、上述した実施例１とほぼ同様であり、図１及び図２を用いて説明すると共に、この実施例で説明したものと同様の機能を有する部材には同一の符号を付して重複する説明は省略する。
【００３７】
実施例２の内燃機関の制御装置では、ＥＣＵ（燃料噴射制御手段）は、インジェクタ２０を制御することで、エンジンの圧縮行程前期に燃焼室１５に対して第１燃料噴霧を噴射すると共に、圧縮行程後期に点火プラグ２１の近傍に向けて第２燃料噴霧を噴射するようにしている。即ち、図１、図２、図９に示すように、インジェクタ２０は、圧縮行程の前期に第１ニードル弁２３により第１燃料通路２４を所定期間開放することで、燃焼室１５に第１燃料噴霧を噴射する。そして、インジェクタ２０は、圧縮行程の後期に第２ニードル弁２５により第２燃料通路２６を所定期間開放することで、燃焼室１５の点火プラグ２１の近傍に向けて第２燃料噴霧を噴射する。この場合、燃料噴射量は、エンジン運転状態に基づいてエンジン負荷（要求噴射量）が大きくなるほど増加するように設定されるが、図８に示すように、第２燃料噴霧を形成する第２燃料噴射量は、エンジン負荷が大きくなるほど減少するように設定される。
【００３８】
なお、インジェクタ２０による第１燃料噴霧の噴射時期は、圧縮行程の前期に限らず、吸気下死点（吸気ＢＤＣ）から５０ＢＴＤＣ（圧縮下死点手前５０度）までの間に設定すればよい。
【００３９】
従って、圧縮行程の前期に、インジェクタ２０から燃焼室１５に対して第１燃料噴霧が噴射されると、この第１燃料噴霧は、燃焼室１５の中心軸線に沿って下方を向いたホロコーン形状となり、小粒径で低流速であるが、圧縮行程噴射であることから、燃焼室１５の上方に成層混合気が形成される。そして、圧縮行程の後期に、インジェクタ２０から燃焼室１５に第２燃料噴霧が噴射されると、この第２燃料噴霧は、燃焼室１５の点火プラグ２１の両側に向けた直線形状となり、大粒径で高流速であることから、燃焼室１５での混合気の流動が増加して乱れが促進され、第２燃料噴霧が短時間で混合されることとなる。従って、所定の点火時期に点火プラグ２１から火花エネルギが出力されると、点火プラグ２１の近傍の混合気に着火されて燃焼することで弱成層燃焼が実行される。
【００４０】
このように実施例２の内燃機関の制御装置にあっては、燃焼室１５に対してホロコーン形状の第１燃料噴霧を噴射可能であると共に、直線形状の第２燃料噴霧を噴射可能なインジェクタ２０を設け、このインジェクタ２０により圧縮行程前期に燃焼室１５に対してホロコーン形状の第１燃料噴霧を噴射すると共に、圧縮行程後期に点火プラグ２１の近傍に向けて直線形状の第２燃料噴霧を噴射するようにしている。
【００４１】
従って、圧縮行程前期に燃焼室１５に第１燃料噴霧を噴射することで、この第１燃料噴霧が燃焼室１５の上部に成層混合気が形成され、圧縮行程後期に点火プラグ２１の近傍に向けて第２燃料噴霧を噴射することで、燃焼室１５での混合気の流動が増加して乱れが促進され、燃料噴霧が短時間で混合されることとなり、燃焼室１５での初期の燃焼速度が向上し、着火性を向上することができると共に、弱成層燃焼によりリーン運転が可能となってノッキング特性を改善することができる。
【００４２】
なお、この実施例２では、圧縮行程前期に燃焼室１５に第１燃料噴霧を噴射すると共に、圧縮行程後期に点火プラグ２１の近傍に向けて第２燃料噴霧を噴射するように構成したが、この燃料噴射制御は、エンジンの運転状態が低回転低負荷領域にあるときに有効的であり、他の運転領域では、エンジンの中負荷時に、吸気行程後期に第１燃料噴射を実行して均質燃焼を行い、高負荷時には、上述した実施例１のように、吸気行程に第１燃料噴射を実行し、圧縮行程後期に第２燃料噴射を実行して成層燃焼を行うようにしてもよい。
【実施例３】
【００４３】
図１０は、本発明の実施例３に係る内燃機関の制御装置における燃焼室の概略図、図１１は、実施例３の内燃機関の制御装置における吸気行程噴射を表す概略図、図１２−１及び図１２−２は、実施例３の内燃機関の制御装置における圧縮行程噴射を表す概略図である。なお、前述した実施例で説明したものと同様の機能を有する部材には同一の符号を付して重複する説明は省略する。
【００４４】
実施例３の内燃機関の制御装置において、図１０に示すように、シリンダヘッド１１の下部にシリンダブロック１２が締結されており、シリンダブロック１２のシリンダボア１３にピストン１４が摺動自在に嵌合している。燃焼室１５は、シリンダブロック１２とシリンダヘッド１１とピストン１４により構成されており、この燃焼室１５の上部に吸気ポート１６及び排気ポート１７が対向して形成され、この吸気ポート１６及び排気ポート１７は吸気弁１８及び排気弁１９により開閉自在となっている。
【００４５】
燃焼室１５の吸気ポート１６側におけるシリンダヘッド１１の下面に、この燃焼室１５に直接燃料を噴射するインジェクタ２０が装着されている。また、燃焼室１５の頂部、つまり、吸気ポート１６と排気ポート１７の中央部におけるシリンダヘッド１１の下面に、点火プラグ２１が装着されている。なお、シリンダヘッド１１は、上述した実施例１と同様に、燃焼室１５に対してホロコーン形状の第１燃料噴霧を噴射可能であると共に、直線形状の第２燃料噴霧を噴射可能となっている。
【００４６】
そして、本実施例にて、ＥＣＵ（燃料噴射制御手段）は、インジェクタ２０を制御することで、エンジンの吸気行程に燃焼室１５に対して第１燃料噴霧を噴射すると共に、圧縮行程後期に点火プラグ２１の近傍に向けて第２燃料噴霧を噴射するようにしている。即ち、まず、図１１に示すように、インジェクタ２０は、吸気行程の後期に燃焼室１５に第１燃料噴霧を噴射すると、この第１燃料噴霧は、燃焼室１５を向いたホロコーン形状となる。そして、このホロコーン形状をなす第１燃料噴霧は、燃料噴霧粒径が小さく、流速が低速であることから、燃焼室１５全体に分散して均質混合気が形成される。
【００４７】
次に、図１２−１及び図１２−２に示すように、インジェクタ２０は、圧縮行程の後期に燃焼室１５の点火プラグ２１の近傍に向けて第２燃料噴霧を噴射すると、この第２燃料噴霧は、燃焼室１５の点火プラグ２１の両側に向けた直線形状となる。そして、この直線形状をなす第２燃料噴霧は、燃料噴霧粒径が第１燃料噴霧より大きく、流速が高速であることから、燃焼室１５での混合気の流動が増加して乱れが促進され、第２燃料噴霧が短時間で混合されることとなる。従って、所定の点火時期に点火プラグ２１から火花エネルギが出力されると、点火プラグ２１から火炎が急速に伝播し、この火炎が火種となって燃焼室１５全体に分散した混合気が燃焼することで均質燃焼が実行される。
【００４８】
このように実施例３の内燃機関の制御装置にあっては、燃焼室１５に対してホロコーン形状の第１燃料噴霧を噴射可能であると共に、直線形状の第２燃料噴霧を噴射可能なインジェクタ２０を設け、このインジェクタ２０により吸気行程後期に燃焼室１５に対してホロコーン形状の第１燃料噴霧を噴射すると共に、圧縮行程後期に点火プラグ２１の近傍に向けて直線形状の第２燃料噴霧を噴射するようにしている。
【００４９】
従って、吸気行程後期に燃焼室１５に第１燃料噴霧を噴射することで、この第１燃料噴霧が燃焼室１５全体に分散して均質混合気が形成され、圧縮行程に点火プラグ２１の近傍に向けて第２燃料噴霧を噴射することで、燃焼室１５での混合気の流動が増加して乱れが促進され、燃料噴霧が短時間で混合されることとなり、燃焼室１５での初期の燃焼速度が向上し、着火性を向上することができると共に、ノッキング特性を改善することができる。
【００５０】
なお、この実施例３では、吸気行程後期に燃焼室１５に第１燃料噴霧を噴射すると共に、圧縮行程後期に点火プラグ２１の近傍に向けて第２燃料噴霧を噴射するように構成したが、この燃料噴射制御は、エンジンの運転状態が高回転高負荷領域にあるときに有効的であり、エンジンの運転状態が低回転低負荷領域にあるときには、圧縮行程前期に燃焼室１５に第１燃料噴霧を噴射すると共に、圧縮行程後期に点火プラグ２１の近傍に向けて第２燃料噴霧を噴射するようにするとよい。
【実施例４】
【００５１】
図１３は、本発明の実施例４に係る内燃機関の制御装置における燃焼室の概略図、図１４は、実施例４の内燃機関の制御装置における圧縮行程噴射を表す概略図である。なお、前述した実施例で説明したものと同様の機能を有する部材には同一の符号を付して重複する説明は省略する。
【００５２】
実施例４の内燃機関の制御装置において、図１３に示すように、シリンダヘッド１１の下部にシリンダブロック１２が締結されており、シリンダブロック１２のシリンダボア１３にピストン１４が摺動自在に嵌合している。そして、このピストン１４の頂面にタンブル流を形成するためのガイド部３１が形成されており、このガイド部３１は吸気ポート１６に対向して円弧状となる円形形状をなしている。燃焼室１５は、シリンダブロック１２とシリンダヘッド１１とピストン１４により構成されており、この燃焼室１５の上部に吸気ポート１６及び排気ポート１７が対向して形成され、この吸気ポート１６及び排気ポート１７は吸気弁１８及び排気弁１９により開閉自在となっている。
【００５３】
燃焼室１５の吸気ポート１６側におけるシリンダヘッド１１の下面に、この燃焼室１５に直接燃料を噴射するインジェクタ２０が装着されている。また、燃焼室１５の頂部、つまり、吸気ポート１６と排気ポート１７の中央部におけるシリンダヘッド１１の下面に、点火プラグ２１が装着されている。なお、シリンダヘッド１１は、上述した実施例１と同様に、燃焼室１５に対してホロコーン形状の第１燃料噴霧を噴射可能であると共に、直線形状の第２燃料噴霧を噴射可能となっている。
【００５４】
そして、本実施例にて、ＥＣＵ（燃料噴射制御手段）は、インジェクタ２０を制御することで、エンジンの吸気行程に燃焼室１５に対して第１燃料噴霧を噴射すると共に、圧縮行程後期に点火プラグ２１の近傍に向けて第２燃料噴霧を噴射するようにしている。即ち、まず、インジェクタ２０は、吸気行程の後期に燃焼室１５に第１燃料噴霧を噴射すると、この第１燃料噴霧は、燃焼室１５を向いたホロコーン形状となる。そして、このホロコーン形状をなす第１燃料噴霧は、燃料噴霧粒径が小さく、流速が低速であることから、吸気ポート１６からの吸気と共にピストン１４の頂面に導かれ、ガイド部３１に案内されることで正タンブル流を形成し、燃焼室１５全体に分散して均質混合気が形成される。
【００５５】
その後、図１４に示すように、ピストン１４が上昇して圧縮行程に至ると、正タンブル流が保持されながら縦方向に圧縮され、次に、インジェクタ２０は、圧縮行程の後期に燃焼室１５の点火プラグ２１の近傍に向けて第２燃料噴霧を噴射すると、この第２燃料噴霧は、燃焼室１５の点火プラグ２１の両側に向けた直線形状となる。そして、この直線形状をなす第２燃料噴霧は、燃料噴霧粒径が第１燃料噴霧より大きく、流速が高速であることから、燃焼室１５での混合気の正タンブル流が加速して増加して乱れが促進され、第２燃料噴霧が短時間で混合されることとなる。従って、所定の点火時期に点火プラグ２１から火花エネルギが出力されると、点火プラグ２１から火炎が急速に伝播し、この火炎が火種となって燃焼室１５全体に分散した混合気が燃焼することで均質燃焼が実行される。
【００５６】
このように実施例４の内燃機関の制御装置にあっては、ピストン１４の頂面にタンブル流を形成するためのガイド部３１を形成し、燃焼室１５に対してホロコーン形状の第１燃料噴霧を噴射可能であると共に、直線形状の第２燃料噴霧を噴射可能なインジェクタ２０を設け、このインジェクタ２０により吸気行程後期に燃焼室１５に対してホロコーン形状の第１燃料噴霧を噴射すると共に、圧縮行程後期に点火プラグ２１の近傍に向けて直線形状の第２燃料噴霧を噴射するようにしている。
【００５７】
従って、吸気行程後期に燃焼室１５に第１燃料噴霧を噴射することで、吸気ポート１６からの吸気と共にピストン１４の頂面に導かれ、この第１燃料噴霧がガイド部３１に案内されることで正タンブル流を形成し、燃焼室１５全体に分散して均質混合気が形成され、圧縮行程に点火プラグ２１の近傍に向けて第２燃料噴霧を噴射することで、燃焼室１５での混合気の正タンブル流が加速して乱れが促進され、燃料噴霧が短時間で混合されることとなり、燃焼室１５での初期の燃焼速度が向上し、着火性を向上することができると共に、ノッキング特性を改善することができる。
【実施例５】
【００５８】
図１５は、本発明の実施例５に係る内燃機関の制御装置における燃焼室の概略図、図１６は、実施例５の内燃機関の制御装置における第１吸気行程噴射を表す概略図、図１７は、実施例５の内燃機関の制御装置における第２吸気行程噴射を表す概略図である。なお、前述した実施例で説明したものと同様の機能を有する部材には同一の符号を付して重複する説明は省略する。
【００５９】
実施例５の内燃機関の制御装置において、図１５に示すように、シリンダヘッド１１の下部にシリンダブロック１２が締結されており、シリンダブロック１２のシリンダボア１３にピストン１４が摺動自在に嵌合している。そして、このピストン１４の頂面にタンブル流を形成するためのガイド部３１が形成されており、このガイド部３１は吸気ポート１６に対向して円弧状となる円形形状をなしている。燃焼室１５は、シリンダブロック１２とシリンダヘッド１１とピストン１４により構成されており、この燃焼室１５の上部に吸気ポート１６及び排気ポート１７が対向して形成され、この吸気ポート１６及び排気ポート１７は吸気弁１８及び排気弁１９により開閉自在となっている。
【００６０】
燃焼室１５の排気ポート１７側におけるシリンダヘッド１１の下面に、この燃焼室１５に直接燃料を噴射するインジェクタ２０が装着されている。また、燃焼室１５の頂部、つまり、吸気ポート１６と排気ポート１７の中央部におけるシリンダヘッド１１の下面に、点火プラグ２１が装着されている。なお、シリンダヘッド１１は、上述した実施例１と同様に、燃焼室１５に対してホロコーン形状の第１燃料噴霧を噴射可能であると共に、直線形状の第２燃料噴霧を噴射可能となっている。
【００６１】
そして、本実施例にて、ＥＣＵ（燃料噴射制御手段）は、インジェクタ２０を制御することで、エンジンの吸気行程に燃焼室１５に対して第１燃料噴霧を噴射すると共に、この第１燃料噴霧の噴射直後にガイド部３１により生成された正タンブル流に沿って第２燃料噴霧を噴射するようにしている。即ち、まず、図１６に示すように、インジェクタ２０は、吸気行程に燃焼室１５に第１燃料噴霧を噴射すると、この第１燃料噴霧は、燃焼室１５を向いたホロコーン形状となる。そして、このホロコーン形状をなす第１燃料噴霧は、燃料噴霧粒径が小さく、流速が低速であることから、吸気ポート１６からの吸気と共にピストン１４の頂面に導かれ、ガイド部３１に案内されることで正タンブル流を形成し、燃焼室１５全体に分散して均質混合気が形成される。
【００６２】
その後、図１７に示すように、ピストン１４が下降して吸気行程後期に至ると、次に、インジェクタ２０は、第１燃料噴霧の噴射直後にこの正タンブル流の流動方向に沿って直線形状をなす第２燃料噴霧を噴射する。そして、この直線形状をなす第２燃料噴霧は、燃料噴霧粒径が第１燃料噴霧より大きく、流速が高速であることから、燃焼室１５での混合気の正タンブル流が加速され、ピストン１４が上昇して圧縮行程に至ると、この正タンブル流が圧縮されて崩壊することで乱れが促進される。従って、所定の点火時期に点火プラグ２１から火花エネルギが出力されると、点火プラグ２１から火炎が急速に伝播し、この火炎が火種となって燃焼室１５全体に分散した混合気が燃焼することで均質燃焼が実行される。
【００６３】
なお、インジェクタ２０による第１燃料噴霧の噴射時期は、吸気行程であれば良く、吸気行程前期から吸気下死点（吸気ＢＤＣ）付近までの間に設定すればよい。
【００６４】
このように実施例５の内燃機関の制御装置にあっては、ピストン１４の頂面にタンブル流を形成するためのガイド部３１を形成し、燃焼室１５に対してホロコーン形状の第１燃料噴霧を噴射可能であると共に、直線形状の第２燃料噴霧を噴射可能なインジェクタ２０を設け、このインジェクタ２０により吸気行程に燃焼室１５に対してホロコーン形状の第１燃料噴霧を噴射すると共に、大燃料噴霧の噴射直後にガイド部３１により生成された正タンブル流に沿って直線形状の第２燃料噴霧を噴射するようにしている。
【００６５】
従って、吸気行程に燃焼室１５に第１燃料噴霧を噴射することで、吸気ポート１６からの吸気と共にピストン１４の頂面に導かれ、この第１燃料噴霧がガイド部３１に案内されることで正タンブル流を形成し、燃焼室１５全体に分散して均質混合気が形成され、第１燃料噴霧の噴射直後にこの正タンブル流に沿って第２燃料噴霧を噴射することで、燃焼室１５での混合気の正タンブル流が加速し、燃焼室での混合気の流動が増加し、圧縮行程でのタンブル流の乱れが促進され、燃焼室１５での混合気の流動が増加し、圧縮行程でのタンブル流の乱れが促進され、燃焼室１５での初期の燃焼速度が向上し、着火性を向上することができると共に、ノッキング特性を改善することができる。
【産業上の利用可能性】
【００６６】
以上のように、本発明に係る内燃機関の制御装置は、燃焼室に対して燃料を２回に分割して異なる方向へ噴射することで、空気と燃料との混合を促進して着火性を向上するようにしたものであり、いずれの種類の内燃機関に用いても好適である。
【図面の簡単な説明】
【００６７】
【図１】本発明の実施例１に係る内燃機関の制御装置における燃焼室の概略図である。
【図２】実施例１の内燃機関の制御装置におけるインジェクタの噴射口を表す断面図である。
【図３】実施例１のインジェクタによる第１燃料噴霧形状を表す概略図である。
【図４−１】実施例１のインジェクタによる第２燃料噴霧形状を表す概略図である。
【図４−２】実施例１のインジェクタによる第２燃料噴霧形状を表す概略図である。
【図５】実施例１の内燃機関の制御装置における吸気行程噴射を表す概略図である。
【図６−１】実施例１の内燃機関の制御装置における圧縮行程噴射を表す概略図である。
【図６−２】実施例１の内燃機関の制御装置における圧縮行程噴射を表す概略図である。
【図７】実施例１の内燃機関の制御装置における燃料噴射時期を表す概略図である。
【図８】エンジン負荷に対する第１燃料噴射量と第２燃料噴射量の割合を表すグラフである。
【図９】本発明の実施例２に係る内燃機関の制御装置における燃料噴射時期を表す概略図である。
【図１０】本発明の実施例３に係る内燃機関の制御装置における燃焼室の概略図である。
【図１１】実施例３の内燃機関の制御装置における吸気行程噴射を表す概略図である。
【図１２−１】実施例３の内燃機関の制御装置における圧縮行程噴射を表す概略図である。
【図１２−２】実施例３の内燃機関の制御装置における圧縮行程噴射を表す概略図である。
【図１３】本発明の実施例４に係る内燃機関の制御装置における燃焼室の概略図である。
【図１４】実施例４の内燃機関の制御装置における圧縮行程噴射を表す概略図である。
【図１５】本発明の実施例５に係る内燃機関の制御装置における燃焼室の概略図である。
【図１６】実施例５の内燃機関の制御装置における第１吸気行程噴射を表す概略図である。
【図１７】実施例５の内燃機関の制御装置における第２吸気行程噴射を表す概略図である。
【符号の説明】
【００６８】
１４  ピストン
１５  燃焼室
１６  吸気ポート
１７  排気ポート
１８  吸気弁
１９  排気弁
２０  インジェクタ（燃料噴射手段）
２１  点火プラグ（着火手段）
２４  第１燃料通路
２６  第２燃料通路
３１  ガイド部
【図１】
2007162631.tif 000003
【図２】
2007162631.tif 000004
【図３】
2007162631.tif 000005
【図４−１】
2007162631.tif 000006
【図４−２】
2007162631.tif 000007
【図５】
2007162631.tif 000008
【図６−１】
2007162631.tif 000009
【図６−２】
2007162631.tif 000010
【図７】
2007162631.tif 000011
【図８】
2007162631.tif 000012
【図９】
2007162631.tif 000013
【図１０】
2007162631.tif 000014
【図１１】
2007162631.tif 000015
【図１２−１】
2007162631.tif 000016
【図１２−２】
2007162631.tif 000017
【図１３】
2007162631.tif 000018
【図１４】
2007162631.tif 000019
【図１５】
2007162631.tif 000020
【図１６】
2007162631.tif 000021
【図１７】
2007162631.tif 000022